(57)【要約】通信に関係するシステムおよび技術が開示されている。システムおよび技術は、第１のアンテナを通して信号を送信することと、第１のアンテナを通る信号伝送に関係するフィードバックを受信することと、フィードバックの関数として、第１のアンテナか、第２のアンテナかを選択することと、選択されたアンテナを通して信号を送信することとに関わる。
2006510262.tif 000002
【特許請求の範囲】
【請求項１】
第１のアンテナを通して信号を送信することと、
信号伝送に関係するフィードバックを受信することと、
フィードバックの関数として、第１のアンテナか、第２のアンテナかを選択することと、
選択されたアンテナを通して信号を送信することとを含む通信方法。
【請求項２】
フィードバックが、第１のアンテナを通る信号伝送の品質に関係するパラメータを含む請求項１記載の方法。
【請求項３】
パラメータが、電力制御信号を含む請求項２記載の方法。
【請求項４】
電力制御信号が、第１のアンテナを通る信号伝送の品質が第１の閾値よりも低いときは、信号伝送電力を増加する要求と、第１のアンテナを通る信号伝送の品質が第２の閾値よりも高いときは、信号伝送電力を低減する要求とを含む請求項３記載の方法。
【請求項５】
第１の閾値が第２の閾値と等しい請求項４記載の方法。
【請求項６】
電力制御信号が信号伝送電力を低減する要求を含むときは、第１のアンテナが選択される請求項４記載の方法。
【請求項７】
電力制御信号が信号伝送電力を増加する要求を含むときは、第２のアンテナが選択される請求項４記載の方法。
【請求項８】
第１のスイッチによって送信機を第１のアンテナに接続し、第２のスイッチを用いて送信機を第２のアンテナから切断することによって、第１のアンテナが選択され、第１のスイッチを用いて第１のアンテナから送信機を切断し、第２のスイッチによって送信機を第２のアンテナに接続することによって、第２のアンテナが選択される請求項１記載の方法。
【請求項９】
第１および第２のアンテナを通して信号を受信することをさらに含む請求項１記載の方法。
【請求項１０】
受信信号がフィードバックを含む請求項７記載の方法。
【請求項１１】
信号を遠隔の源へ送信するように構成された通信装置であって、
信号を送信するのに適応した第１および第２のアンテナと、
遠隔の源からの、信号伝送に関係するフィードバックに応答するアンテナ選択モジュールと、
アンテナ選択モジュールの制御のもとで、第１のアンテナか、第２のアンテナかに選択的に接続される送信機とを含む通信装置。
【請求項１２】
送信機と第1のアンテナとの間の第１のスイッチと、送信機と第２のアンテナとの間の第２のスイッチとをさらに含む請求項１１記載の通信装置。
【請求項１３】
アンテナ選択モジュールが、第１のスイッチを閉じ、第２のスイッチを開いて、送信機を第１のアンテナに接続するように構成されている請求項１２記載の通信装置。
【請求項１４】
アンテナ選択モジュールが、第１のスイッチを開き、第２のスイッチを閉じて、送信機を第２のアンテナに接続するように構成されている請求項１２記載の通信装置。
【請求項１５】
フィードバックが、信号伝送の品質に関係するパラメータを含む請求項１１記載の通信装置。
【請求項１６】
パラメータが電力制御信号を含む請求項１５記載の通信装置。
【請求項１７】
送信機が、電力制御信号に応答する利得を含む請求項１６記載の通信装置。
【請求項１８】
電力制御信号が、信号伝送の品質が第１の閾値よりも低いときは、送信機の利得を増加する要求と、信号伝送の品質が第２の閾値よりも高いときは、送信機の利得を低減する要求とを含む請求項１７記載の通信装置。
【請求項１９】
第１の閾値が第２の閾値と等しい請求項１８記載の通信装置。
【請求項２０】
電力制御信号が、第１のアンテナを通る信号伝送に応答して、送信機の利得を増加する要求を含むとき、アンテナ選択モジュールが、送信機を第１のアンテナから第２のアンテナへ切換えるように構成されている請求項１７記載の通信装置。
【請求項２１】
電力制御信号が、第１のアンテナを通る信号伝送に応答して、送信機の利得を低減する要求を含むとき、アンテナ選択モジュールが、送信機と第１のアンテナとの接続を維持するように構成されている請求項１７記載の通信装置。
【請求項２２】
第１および第２のアンテナに接続された受信機をさらに含む請求項１１記載の通信装置。
【請求項２３】
受信機が、遠隔の源からの信号を受信するように構成されていて、受信信号がフィードバックを含む請求項２２記載の通信装置。
【請求項２４】
受信機に接続された復調器であって、受信信号からフィードバックを復元し、復元されたフィードバックをアンテナ選択モジュールに与えるように構成された復調器をさらに含む請求項２３記載の通信装置。
【請求項２５】
第１のアンテナに接続された第１のデュープレクサ、送信機と第１のデュープレクサとの間に配置された第１のスイッチ、第２のアンテナに接続された第２のデュープレクサ、送信機と第２のデュープレクサとの間に配置された第２のスイッチ、および第１と第２のデュープレクサに接続された受信機をさらに含み、アンテナ選択モジュールが、第１および第２のスイッチを制御することによって、送信機を、第１のアンテナか、第２のアンテナかに選択的に接続するように構成されている請求項１1記載の通信装置。
【請求項２６】
コンピュータプログラムによって実行可能な命令のプログラムを具体化するコンピュータ読み出し可能媒体であって、信号を遠隔の源へ送信する方法であって、
信号伝送に関係するフィードバックを受信することと、
フィードバックの関数として、第１のアンテナか、第２のアンテナかを選択することと、
送信機を選択されたアンテナに接続する信号を生成することとを含む方法を行うコンピュータ読み出し可能媒体。
【請求項２７】
フィードバックが、遠隔の源によって第１および第２のアンテナの一方を通して送信される信号の品質に関係するパラメータを含む請求項２６記載のコンピュータ読み出し可能媒体。
【請求項２８】
パラメータが電力制御信号を含む請求項２７記載のコンピュータ読み出し可能媒体。
【請求項２９】
電力制御信号が、第１のアンテナを通る信号伝送の品質が第１の閾値よりも低いときは、信号伝送電力を増加する要求と、第１のアンテナを通る信号伝送の品質が第２の閾値よりも高いときは、信号伝送電力を低減する要求とを含む請求項２８記載のコンピュータ読み出し可能媒体。
【請求項３０】
第１の閾値が第２の閾値と等しい請求項２９記載のコンピュータ読み出し可能媒体。
【請求項３１】
フィードバックが、第１のアンテナからの伝送に基づき、電力制御信号が、信号伝送電力を低減する要求を含むときは、選択されたアンテナが、第１のアンテナを含む請求項２９記載のコンピュータ読み出し可能媒体。
【請求項３２】
フィードバックが、第１のアンテナからの伝送に基づき、電力制御信号が、信号伝送電力を増加する要求を含むときは、選択されたアンテナが、第２のアンテナを含む請求項２９記載のコンピュータ読み出し可能媒体。
【請求項３３】
信号を遠隔の源へ送信するように構成された通信装置であって、
第１および第２のアンテナと、
遠隔の源から受信した、信号伝送に関係するフィードバックの関数として、第１のアンテナか、２のアンテナかを選択する手段と、
送信機と、
送信機を選択されたアンテナに接続する手段とを含む通信装置。
【請求項３４】
送信機を選択されたアンテナに接続する手段が、送信機と第１のアンテナとの間の第１のスイッチと、送信機と第２のアンテナとの間の第２のスイッチとを含む請求項３３記載の通信装置。
【請求項３５】
フィードバックが、信号伝送の品質に関係するパラメータを含む請求項３３記載の通信装置。
【請求項３６】
パラメータが電力制御信号を含む請求項３５記載の通信装置。
【請求項３７】
送信機が、電力制御信号に応答する利得を含む請求項３６記載の通信装置。
【請求項３８】
電力制御信号が、信号伝送の品質が第１の閾値よりも低いときは、送信機の利得を増加する要求と、信号伝送の品質が第２の閾値よりも高いときは、送信機の利得を低減する要求とを含む請求項３７記載の通信装置。
【請求項３９】
第１の閾値が第２の閾値と等しい請求項３８記載の通信装置。
【請求項４０】
電力制御信号が、第１のアンテナを通る信号伝送に応答して、送信機の利得を増加する要求を含むとき、第１のアンテナか、第２のアンテナかを選択する手段が、第２のアンテナを選択するように構成されている請求項３８記載の通信装置。
【請求項４１】
電力制御信号が、第１のアンテナを通る信号伝送に応答して、送信機の利得を低減する要求を含むとき、第１のアンテナか、第２のアンテナかを選択する手段が、第１のアンテナを選択するように構成されている請求項３８記載の通信装置。
【請求項４２】
第１および第２のアンテナに接続された受信機をさらに含む請求項３３記載の通信装置。
【請求項４３】
受信機が、遠隔の源から信号を受信するように構成されていて、受信信号がフィードバックを含む請求項４２記載の通信装置。
【請求項４４】
受信信号からフィードバックを復元する手段をさらに含む請求項４３記載の通信装置。
【発明の詳細な説明】
【技術分野】
【０００１】
本発明は、概ね、通信に関し、とくに、切換えアンテナ送信ダイバーシティを用いた通信装置に関する。
【背景技術】
【０００２】
無線通信において、伝送信号は、経路内の障害物によって反射され、散乱させられ、多くの場合に、その信号の多数のコピーが異なる時間に受信機に到達することになる。送信アンテナに対する受信アンテナの位置と、信号路内の障害物とに依存して、信号の多数のコピーは、受信アンテナにおいて建設的または破壊的に合成する。狭帯域のモバイル応用では、ユーザが短い距離を移動するときであっても、この現象が信号を変動の原因となることがある。これは、多くの場合に、高速フェージングと呼ばれる。広帯域の符号分割多元接続（code division multiple access, CDMA）信号を使用すると、高速フェージングの影響は相当に緩和される。ＣＤＭＡは、この分野においてよく知られているスペクトラム拡散通信に基づく変調および多元接続方式である。
【発明の開示】
【発明が解決しようとする課題】
【０００３】
モバイル応用における高速フェージングを軽減する別の技術には、多数のアンテナを使用し、アンテナの空間ダイバーシティによって、信号の利得を増加するものがある。現在、デュアルアンテナ構成をもつ多数の市販の移動装置がある。しかしながら、これらの移動装置は、受信信号のみに空間ダイバーシティ合成技術を採用し、送信には１本のアンテナを使用している。これらの移動装置において、両者のアンテナを使用して、送信アンテナダイバーシティを実現する方法を採用することが好都合である。
【課題を解決するための手段】
【０００４】
本発明の１つの態様では、通信方法は、第１のアンテナを通して信号を送信することと、信号伝送に関係するフィードバックを受信することと、フィードバックの関数として、第１のアンテナか、第２のアンテナかを選択することと、選択されたアンテナを通して信号を送信することとを含む。
【０００５】
本発明の別の態様では、信号を遠隔の源へ送信するように構成された通信装置は、第１および第２のアンテナと、遠隔の源からの、信号伝送に関係するフィードバックに応答するアンテナ選択モジュールと、アンテナ選択モジュールの制御のもとで、第１のアンテナか、第２のアンテナかを選択的に接続する送信機とを含む。
【０００６】
本発明のさらに別の態様では、コンピュータプログラムによって実行可能な命令のプログラムを具体化するコンピュータ読み出し可能媒体は、信号を遠隔の源へ送信する方法であって、信号伝送に関係するフィードバックを受信することと、フィードバックの関数として、第１のアンテナか、第２のアンテナかを選択することと、送信機を選択されたアンテナに接続する信号を生成することとを含む方法を行う。
【０００７】
本発明のさらに別の態様では、信号を遠隔の源へ送信するように構成された通信装置は、第１および２のアンテナと、遠隔の源から受信した、信号伝送に関係するフィードバックの関数として、第１アンテナか、第２のアンテナかを選択する手段と、送信機と、送信機を選択されたアンテナに接続する手段とを含む。
【０００８】
本発明の他の実施形態は、本発明の例示的な実施形態のみが例示によって示され、記載されている次の詳細な記述から、当業者には容易に明らかであることが分かるであろう。理解されるように、本発明は、本発明の意図および技術的範囲から逸脱しないならば、他の、および異なる実施形態が可能であり、そのいくつかの細部は、種々の他の点において変更することができる。したがって、図面および詳細な記述は、本質的に例示であって、制限的ではないと考えられる。
【発明を実施するための最良の形態】
【０００９】
本発明の態様は、添付の図面において、制限的にではなく、例によって示されている。
添付の図面に関連して、これから記載される詳細な記述は、本発明の例示的な実施形態の記述として意図されており、本発明が実行される唯一の実施形態を表わすことを意図されていない。この記述全体で使用されている“例示的”という用語は、“例、事例、または例示として役立つ”ことを意味するのに使用されており、必ずしも、他の実施形態よりも好ましい、または優れていると解釈されるべきではない。詳細な記述は、本発明を全体的に理解させるための具体的な詳細を含む。しかしながら、当業者には、本発明が、これらの具体的な詳細がなくても実施されることが明らかである。いくつかの事例において、周知の構造および装置は、本発明の概念を曖昧にするのを避けるために、ブロック図の形で示されている。
【００１０】
次の詳細な記述では、種々の技術が、ＣＤＭＡ通信システムに関連して記載されている。これらの技術は、この環境において使用するのに十分に適しているが、当業者には、これらの技術が、同様に、他の無線ネットワークに応用可能であることが容易に分かるであろう。したがって、これらの発明の態様が広い範囲の応用をもつことの理解に加えて、ＣＤＭＡ通信システムの参照は、単に、これらの種々の発明の態様を例示することを意図している。
【００１１】
図１は、例示的なＣＤＭＡ通信システムの概念上のブロック図である。基地局制御装置102は、ネットワーク106と、基地局（Base Station, BS）104のような、地理的領域全体に分散した全ての基地局との間にインターフェイスを与えるのに使用される。地理的領域は、一般的に、セルとして知られているより小さい領域に分割される。各セルは、通常、そのセル内の全加入者局にサービスすることができる基地局を含む。より人口密度の高い領域では、セルは、セクタに分割され、基地局は各セクタにサービスする。説明を簡単にするために、１つのみの基地局104が示されている。加入者局108は、基地局制御装置102の制御のもとで、１つ以上の基地局を介して、ネットワーク106にアクセスするか、または他の加入者局と通信する。
【００１２】
基地局104は、個々の応用および全体的な設計上の制約に依存して、任意の数のアンテナを備える。図１に示されているＣＤＭＡ通信システムでは、基地局104は、１本の送信アンテナ110と、２本の受信アンテナ112aおよび112bとを含む。基地局104は、２本の受信アンテナ112aおよび112bを使用して、加入者局108から信号伝送を受信する。このアプローチは、受信アンテナ112aおよび112bの空間ダイバーシティと、基地局104が採用する合成技術とによって、信号伝送の利得を増加する。送信および受信アンテナ110、112a、および112bは、ダイポール、開放形導波管、導波管において切削されたスロット、または他のタイプの放射要素のような、空間的に離れた個別の放射要素である。
【００１３】
デュアルアンテナ構成をもつ加入者局108が示されているが、当業者には、任意の数のアンテナをもつ加入者局108を構成してもよいことが分かるであろう。２本のアンテナ114aおよび114bを加入者局108内に埋め込んでもよい。このアプローチは、加入者局の美しさを高め、さらに加えて、使用中にアンテナを配備する必要を無くすことによって、ユーザをより便利にする。その代りに、２本のアンテナ114aおよび114bは、ホイップ形、螺旋形、または他のタイプの放射要素であってもよい。
【００１４】
図１に示されている例示的な実施形態では、２本のアンテナ114aおよび114bは、順方向リンク伝送において受信信号に空間ダイバーシティを与えるのに使用される。順方向リンクは、基地局104から加入者局108への信号伝送を指す。２本のアンテナ114aおよび114bは、逆方向リンクにおいて切換え送信ダイバーシティを支援するのにも使用される。逆方向リンクは、加入者局108から基地局104への信号伝送を指す。切換えダイバーシティは、制御手続きにしたがって、２本のアンテナ114aおよび114b間で逆方向リンクの信号伝送を最適に切換えることによって影響を与えられる。
【００１５】
制御手続きは、個々の応用、全体的な設計上の制約、および／または他の関連する要素に依存して、種々のやり方で実行される。加入者局の少なくとも１つの実施形態では、基地局104からのフィードバックを使用して、２本のアンテナ114aおよび114b間で信号伝送を最適に切換える。フィードバックは、種々の形をとるが、一般的に、逆方向リンクの信号品質の指標を与える。フィードバックは、基地局において計算される逆方向リンクの品質の測定基準であり、空中トラヒックまたはオーバーヘッドチャネルによって加入者局へフィードバックされる。逆方向リンクの品質の測定基準の例は、ビットエネルギー対雑音密度（bit energy-to-noise density, Eｂ/Iｏ）、ビット誤り率（bit error rate, BER）、フレーム誤り率（frame error rate, FER）、搬送波対干渉比（carrier-to-interference rate, C/I）、または他の既知のパラメータを含む。その代りに、加入者局は、従来のＣＤＭＡ通信システムにおける既存のフィードバックループを使用してもよい。例えば、従来の加入者局が、逆方向リンク伝送の電力を制御するために使用する電力制御ループを、アンテナの切換えを制御するのに使用してもよい。
【００１６】
図２は、電力制御ループを支援する例示的な基地局104の簡素化された機能ブロック図である。基地局104は、受信機202に接続された２本の受信アンテナ112aおよび112bを含む。受信機202は、種々の高周波数および信号処理構成要素を含むが、この開示全体に記載されている発明の概念に関係する構成要素のみを取り上げる。アナログフロントエンド204は、アンテナ112aおよび112bが受信した信号を増幅し、フィルタにかけ、ベースバンド信号にダウンコンバートする。アンテナ112aおよび112bからのベースバンド信号は、別々に復調され、次に、復調器206内のレーキ受信機（図示されていない）を使用して合成される。復号器208は、復調器206からの合成信号をデインターリーブして、復号するのに使用される。
【００１７】
復調器206は、合成信号から、逆方向リンク伝送の受信信号強度指標（received signal strength indicator, RSSI）を生成するのにも使用される。ＲＳＳＩは、電力制御モジュール210へ供給され、ここで電力設定点と比較され、電力制御信号が生成される。電力制御信号は、フィードバック信号として加入者局によって使用され、ＲＳＳＩが電力設定点よりも小さいときは、逆方向リンク伝送電力を増加し、ＲＳＳＩが電力設定点よりも大きいときは、逆方向リンク電力を低減する。電力設定点は、通常、復号信号のＦＥＲから判断されるので、逆方向リンクの信号品質に直接に相関する。したがって、電力制御信号は、逆方向リンク信号伝送中に、加入者局のアンテナの切換えを制御するための良好な選択である。
【００１８】
電力設定点は、測定信号強度（この実施形態では、具体的には、ＲＳＳＩ）と比較される閾値である。別の実施形態では、信号強度または信号品質の別の測定値を使用し、別の閾値の測定基準を採用してもよい。１つの実施形態では、多数の閾値を使用して、逆方向リンクにおける伝送電力の増加または減少、あるいはこの両者を判断する。例えば、1つの閾値を使用して、伝送電力の低減を判断し、異なるより低い閾値を使用して、伝送電力の増加を判断する。別の例では、伝送電力の調節に関する制御情報と関係付けられた多数の範囲を採り入れてもよい。このやり方では、測定ＲＳＳＩが所与の範囲内であるときは、このような範囲は、伝送電力における所定量の増加を示す。他の範囲は、他の調節量を示してもよい。同様に、各範囲の制御値を、別の範囲の現在の値に基づいて、動的に調節してもよい。履歴情報が、閾値または範囲、あるいはこの両者における変化、および関係付けられる制御決定における変化のような、制御値における変化を判断してもよい。
【００１９】
電力制御信号は、送信機212に与えられる。送信機212は、種々の高周波数および信号処理構成要素を含むが、この開示全体に記載されている発明の概念に関係する構成要素のみを取り上げる。送信機212内のパンクチャ素子214は、電力制御信号を電力制御モジュール210からトラヒックチャネルまたはオーバーヘッドチャネルへパンクチャするのに使用される。次に、パンクチャ素子214からのトラヒックまたはオーバーヘッドチャネルは、変調器216へ与えられ、その後で、アナログフロントエンド218によって搬送波周波数へアップコンバートされ、フィルタにかけられ、増幅され、送信アンテナ110を通して順方向リンクにおいて伝送される。
【００２０】
図３は、切換え送信アンテナダイバーシティを用いた例示的な加入者局108の簡潔化された機能ブロック図である。既に記載したように、基地局104は、逆方向リンクの受信のために、２本の受信アンテナ112a、112bを使用し、したがって、アンテナ112a、112bの空間ダイバーシティと、レーキ受信機（図示されていない）によって使用される合成技術とによって、利得を実現する。加入者局108において切換え送信アンテナダイバーシティを採用することによって、逆方向リンクの信号品質がさらに向上する。
【００２１】
加入者局108は、受信機302および送信機304を含み、これらは、同じ２本の送信／受信アンテナ114aおよび114bを共用する。別々のデュープレクサ306aおよび306bを使用して、受信機302および送信機304の両者を、各送信／受信アンテナ114aおよび114bに接続する。デュープレクサ306aおよび306bは、受信機302の感度低下または損傷が原因で送信機がリークするのを防ぎ、一方で、同時に、送信／受信アンテナ114aおよび114bによって受信された弱い信号が受信機302に宛てられるのを保証する。受信機302は、送信／受信アンテナ114aおよび114bの両者に接続され、送信機304は、マイクロ波スイッチ308または同様の装置を使用して、送信／受信アンテナ114aおよび114b間で切換えられる。良好な線形性をもつ高傍受点のマイクロ波スイッチを使用して、高電力伝送中の帯域外放射を低減する。受信機302および送信機304の両者は、高周波数および信号処理構成要素を含むが、この開示全体に記載されている発明の概念に関係する構成要素のみを取り上げる。
【００２２】
受信機302内のアナログフロントエンド310は、送信／受信アンテナ114aおよび114bによって受信された信号を増幅し、フィルタにかけ、ベースバンド信号にダウンコンバートするのに使用される。アナログフロントエンド310からのベースバンド信号は、別々に復調され、次に、復調器312内のレーキ受信機（図示されていない）を使用して合成される。次に、合成信号から電力制御信号を抽出し、アンテナ選択モジュール314へ与える。別途より詳しく記載されるように、アンテナ選択モジュール314は、電力制御信号を使用して、送信機304がデュープレクサ306aおよび306bによって送信／受信アンテナ114a、114bを切換えるのを制御する。
【００２３】
電力制御信号は、送信機304へも与えられ、逆方向リンクの伝送電力を制御する。図３に示されている例示的な実施形態では、被変調信号は、アナログフロントエンド316へ与えられ、フィルタにかけられ、逆方向リンク上で伝送するのに適した搬送波周波数へアップコンバートされる。送信機304のアナログフロントエンド316内の電力増幅器（図示されていない）は、高電力伝送を生成するのに使用される。受信機302の復調器312からの電力制御信号は、アナログフロントエンド316の電力増幅器へ与えられ、逆方向リンク信号の利得を制御する。アナログフロントエンド316の電力増幅器からの逆方向リンク信号伝送は、アンテナ選択モジュール314の制御のもとで、マイクロ波スイッチ308によって適切な送信／受信アンテナへ切換えられる。
【００２４】
アンテナ選択モジュール314を、汎用プロセッサ、専用アプリケーションプロセッサ、または他のソフトウエア実行環境において実行できるソフトウエアに組込んでもよい。ソフトウエアは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはこの分野において知られている他の形態の記憶媒体の中にあってもよい。その代りに、アンテナ選択モジュール314を、ハードウエア、またはハードウエアおよびソフトウエアの組合せに組込んでもよい。例えば、アンテナ選択モジュール314は、特定用途向け集積回路（application specific integrated circuit, ASIC）、フィールドプログラマブルゲートアレイ（field programmable gate array, FPGA）、または他のプログラマブル論理装置、ディスクリートなゲートまたはトランジスタ論理、ディスクリートなハードウエア構成要素、あるいは記載されている機能の1つ以上を実行するように設計された他の組合せであってもよい。
【００２５】
加入者局の少なくとも１つの実施形態におけるアンテナ選択モジュール314の目的は、最良の逆方向リンクの信号品質になるように、送信アンテナを選択することである。加入者局108がセルラ領域（または、セクタ）を移動すると、基地局104は信号の変動を経験するので、最良の逆方向リンクの信号品質が可能なアンテナは、時間にしたがって変化する。アンテナ選択モジュール314は、基地局104からのフィードバックを使用して、最良の逆方向リンクの信号品質の送信／受信アンテナを選択する。送信／受信アンテナを選択するのに使用される実際の手続きは、コストと性能との兼ね合い、および他の設計上の制約のような、種々の要素に基づいて変化する。アンテナ選択モジュール314の少なくとも１つの実施形態では、電力制御信号を使用して、逆方向リンクの信号品質への見通しを得る。より具体的には、電力制御信号が、基地局104がより多くの電力を要求していることを示すと、アンテナ選択モジュール314は、送信機304を他方のアンテナ114a、114bに切換え、電力制御信号によって、基地局104が電力の低減を要求しているかどうかを監視する。電力を低減する要求は、この選択されたアンテナからの逆方向リンクの信号品質がより良いことを示す。この手続きは、通話時間中、続く。
【００２６】
図４は、この手続きを例示的により詳しく示したフローチャートであり、送信機304が２本のアンテナ114a、114bを切換えるためのアンテナ選択モジュールによって実行される。先ず、ステップ402において、第１の送信アンテナを選択する。第1の送信アンテナの最初の選択はランダムであっても、または他の基準に基づいてもよい。次に、ステップ404において、送信機を第1の送信アンテナへ接続するのに使用する信号を生成する。この時点で、加入者局108は、送信の準備ができる。ステップ406において、アンテナ選択モジュール314は、基地局104からの、逆方向リンク伝送に関係するフィードバックを抽出する。この場合に、フィードバックは、電力制御信号である。ステップ408において、アンテナ選択モジュール314が、電力制御信号が逆方向リンク電力の低減を要求していると判断すると、ステップ410において、送信機304を第１の送信アンテナに接続するのに使用される信号は維持され、ステップ406において、アンテナ選択モジュール314は、次の電力制御信号を抽出する。
【００２７】
ステップ408に戻って、アンテナ選択モジュールが、電力制御信号が、逆方向リンク電力の増加を要求していると判断すると、ステップ412において、アンテナ選択モジュール314は、送信機を第２の送信／受信アンテナに接続する信号を生成する。送信機が第２の送信／受信アンテナに接続されると、加入者局は、送信の準備ができる。ステップ414において、アンテナ選択モジュール314は、逆方向リンク伝送に関係する次の電力制御信号を抽出する。ステップ416において、アンテナ選択モジュール314が、電力制御信号が逆方向リンク電力の低減を要求していると判断すると、ステップ418において、送信機を第２の送信アンテナに接続するのに使用される信号は維持され、ステップ414において、アンテナ選択モジュールは次の電力制御信号を抽出する。逆に、ステップ416において、アンテナ選択モジュール314が、電力制御信号が逆方向リンク伝送電力の増加を要求していると判断すると、ステップ404において、アンテナ選択モジュール314は、送信機304を第1の送信アンテナに接続する信号を生成する。
【００２８】
この中に開示されている実施形態に関係して記載されている種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理装置、ディスクリートなゲートまたはトランジスタ論理、ディスクリートなハードウエア構成要素、あるいはこの中に記載されている機能を実行するように設計された組合せで構成または実行される。汎用プロセッサは、マイクロプロセッサであってもよいが、その代わりに、従来のプロセッサ、制御装置、マイクロ制御装置、または状態機械であってもよい。プロセッサは、計算機の組合せ、例えば、１つのＤＳＰと１つのマイクロプロセッサとの組合せ、複数のマイクロプロセッサ、１つ以上のマイクロプロセッサと１つのＤＳＰのコアとの組み合わせ、または他のこのような構成としても実行される。
【００２９】
この中に開示されている実施形態に関係して記載された方法またはアルゴリズムは、ハードウエアにおいて、プロセッサによって実行されるソフトウエアモジュールにおいて、またはこの２つの組み合わせにおいて直接に具体化される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはこの分野において知られている他の形態の記憶媒体の中にあってもよい。例示的な記憶媒体は、プロセッサに接続すると、プロセッサは、記憶媒体から情報を読み出し、かつ記憶媒体へ情報を書き込むことができる。その代りに、記憶媒体は、プロセッサと一体構成であってもよい。プロセッサおよび記憶媒体は、ＡＳＩＣの中にあってもよい。ＡＳＩＣは、ユーザ端末の中にあってもよい。その代りに、プロセッサおよび記憶媒体は、ディスクリートな構成要素として、ユーザ端末の中にあってもよい。
【００３０】
開示された実施形態のこれまでの記述は、当業者が本発明を作成または使用できるようにするために与えられている。当業者には、これらの実施形態に対する種々の変更は容易に明らかであり、この中で定められている一般的な原理は、本発明の意図または技術的範囲から逸脱することなく、他の実施形態に適用してもよい。したがって、本発明は、この中に示されている実施形態に制限されることを意図されているのではなく、この中に開示されている原理および新奇な特徴に一致する最も幅広い範囲にしたがうことを意図されている。
【図面の簡単な説明】
【００３１】
【図１】例示的なＣＤＭＡ通信システムの概念上のブロック図。
【図２】電力制御ループを支援する例示的な基地局の簡素化された機能ブロック図。
【図３】切換え送信アンテナダイバーシティを用いた例示的な加入者局の簡素化された機能ブロック図。
【図４】送信機を２本のアンテナ間で切換えるためのアンテナ選択モジュールによって実行される例示的な手続きを示すフローチャート。
【符号の説明】
【００３２】
104・・・基地局、110,112,114・・・アンテナ、308・・・スイッチ。
【図１】
2006510262.tif 000003
【図２】
2006510262.tif 000004
【図３】
2006510262.tif 000005
【図４】
2006510262.tif 000006
【国際調査報告】
2006510262.tif 000007
2006510262.tif 000008
2006510262.tif 000009